(57)【要約】      （修正有）【課題】セキュリティの目的や商品の真贋判定の目的も同時に達成することができる表示シートを提供する。【解決手段】商品の価格や品質、ブランド名等が表示される表示シートの外表面の一部にホログラムパート４を形成してあることとし、商品の価格や品質、ブランド名等が表示される表示シートの外表面の一部に芳香剤を充填したマイクロカプセル群の貼装パート５を形成してあることとし、商品の価格や品質、ブランド名等が表示される表示シートの外表面の一部にエンボスを形成してあることとする。【選択図】図１
2005062663.tif 000002
【特許請求の範囲】
【請求項１】
商品の価格や品質、ブランド名等が表示される表示シートの外表面の一部にホログラムパートを形成してあることを特徴とする表示シート。
【請求項２】
商品の価格や品質、ブランド名等が表示される表示シートの外表面の一部に芳香剤を充填したマイクロカプセル群の貼装パートを形成してあることを特徴とする表示シート。
【請求項３】
商品の価格や品質、ブランド名等が表示される表示シートの外表面の一部にエンボスを形成してあることを特徴とする表示シート。
【請求項４】
前記したエンボスはプラスチックフィルムを基材として備えていることを特徴とする請求項３に記載の表示シート。
【請求項５】
前記したエンボスを備えたプラスチックフィルムをベースシートに重合固着してあることを特徴とする請求項３または請求項４に記載の表示シート。
【請求項６】
前記した表示シートは一部に軟磁性材の箔層を備えていることを特徴とする請求項１、請求項２、請求項３、請求項４または請求項５に記載の表示シート。
【請求項７】
前記した表示シートは一部に無線ＩＣチップを固設してあることを特徴とする請求項６に記載の表示シート。
【請求項８】
前記した磁気の消去後のマーキングがなされない場合、チェッカーに合成音声や音響あるいはパイロットランプの点灯で告知させるスイッチング機能を具備させたことを特徴とする請求項６または請求項７に記載の表示シート。
【発明の詳細な説明】
【技術分野】
【０００１】
本発明は表示シートに関し、特に販売を目的とした商品に取り付けられ、その商品の価格をはじめ、品質やブランド名、製産業者、販売業者の名前等を表示するタグやラベルの類の表示シートに関し、セキュリティの目的や商品の真贋判定の目的も同時に達成することができる表示シートに関する。
【背景技術】
【０００２】
従来より、商品の不正持ち出し行為、いわゆる万引行為の防止、発見をするため、種々のセキュリティ機能を保有させたタグをはじめとする商品に取り付ける表示シート類が開発されている。
【０００３】
前記したセキュリティタグとして現在一般的となってきているものは、二折りして密着させる形態のもので、表面には商品情報を記録させたバーコードをプリントあるいはバーコードをプリントしたシール等を貼装してある。そして、二折りされる内面側に軟磁性材による箔層、主としてニッケル箔等の半硬質磁性膜とアモルファスをラミネート、あるいはスパッタリングや蒸着したものを備えており、この磁気を消去せずにチェックゲートを通ると反応して商品の持ち出しが発覚するものとなっている。
【０００４】
また、近時では前記した磁気反応によるチェックのみでは必ずしも全ての状態、例えばチェックゲートの通過前にセキュリティタグの切離、剥離等がなされた場合には対応が困難となるため、前記した軟磁性材による箔層に代えて、あるいはプラスして無線電波に対応するＩＣチップ（特にＩＣチップパック）を固設させたセキュリティタグ、表示シートの類が開発されている。
【０００５】
しかしながら、最近ではタグをはじめとする表示シート自体の偽造も行なわれ、真正の商品として出荷する際に真正の表示シートが付されて店頭に陳列されるのに加え、偽造商品に偽造の表示シートが付された状態で店頭に陳列されてしまうケースもあり、店舗側としては入荷した商品の真贋はそこに付された表示シートを含め判定するのは困難な状況となっている。
【特許文献１】特願２００３−１７７５８号
【発明の開示】
【発明が解決しようとする課題】
【０００６】
本発明が解決しようとする課題は、従来商品に取り付けられるタグをはじめとする表示シートは万引対策としてのセキュリティ効果は発揮するものの、それが付された商品の真贋や表示シート自体の真贋はチェックしきれず、また、付された商品の内容の示唆も文字や記号、図柄等のごく平面的な情報によってしかなし得ないという点である。
【課題を解決するための手段】
【０００７】
本発明は係る課題を解決する手段として商品の価格や品質、ブランド名等が表示される表示シートの外表面の一部にホログラムパートを形成してあることを特徴とし、商品の価格や品質、ブランド名等が表示される表示シートの外表面の一部に芳香剤を充填したマイクロカプセル群の貼装パートを形成してあることを特徴とし、商品の価格や品質、ブランド名等が表示される表示シートの外表面の一部にエンボスを形成してあることを特徴とし、前記したエンボスはプラスチックフィルムを基材として備えていることを特徴とし、前記したエンボスを備えたプラスチックフィルムをベースシートに重合固着してあることを特徴としている。
【０００８】
また、本発明は前記した表示シートは一部に軟磁性材の箔層を備えていることを特徴とし、前記した表示シートは一部に無線ＩＣチップを固設してあることを特徴とし、前記した磁気の消去後のマーキングがなされない場合、チェッカーに合成音声や音響あるいはパイロットランプの点灯で告知させるスイッチング機能を具備させたことを特徴としている。
【発明の効果】
【０００９】
本発明に係る表示シートは上述した構成、機能を有するものとなっており、ホログラムや芳香剤のマイクロカプセルを具備させることで、単に平面的なものから立体的に商品の内容を示唆し、芳香をもって需要者に商品内容をうったえかけることもでき、時として、かかるパートの有無によって表示シートの真贋やそれが付された商品の真贋判定を行なうことも可能となる。
【００１０】
また、表示シートの一部にエンボスを設けることはそのエンボスの存在で表示シートの真贋やそれが付された商品の真贋判定を行なうことが可能ともなり、このエンボスの存在は視覚障害者に対する指標ともなり、点字形成しての情報伝達手段とすることも可能である。
【００１１】
さらに、本発明に係る表示シートには従来と同様のセキュリティ機能を保有させることは当然に可能であり、加えて、セキュリティ用磁気の消去忘れが生じた場合にもチェッカーで確認することができることとなり、このチェッカーでの確認は表示シート自体の真贋、強いては商品の真贋もチェッカーで行なうことが可能となり、これには既存の電子的な論理回路を対応させることができる。
【実施例１】
【００１２】
次に、本発明の好ましい実施の例を図面を参照して説明する。図１は本発明を実施したタグを示す正面図、図２は同じく他の例を示す側面図、図３は同じく他の例を示す部分正面図である。
【００１３】
これらの図にあって１はプラスチックプレート、硬質紙、金属プレート等の材料によって成形された商品に付されるタグ本体を示している。このタグ本体１の形状は本実施例にあっては略矩形としてあるが、この形状にこだわるものではなく、任意のものでよく、必要に応じて複数個所を折り開く形態とすることも可能である。
【００１４】
このタグ本体１の上方には、このタグ本体１を商品に吊持させるためのループ形成材やピン材を挿通させるための透孔２が穿設されている。また、表面の一部には価格やブランド名等の記載表示３が設けられている。
【００１５】
また、このタグ本体１の一部、任意個所にはホログラムパート４が設けられており、単に光の屈折による色彩変化のみならず画像も組み入れることで商品の内容を示唆する表示とすることを可能としている。
【００１６】
さらに、このタグ本体１の一部、任意個所には芳香剤を充填したマイクロカプセル群の貼装パート５が形成されている。この貼装パート５は前記したホログラムパート４と一緒に設けられても、単独として設けられてもかまわない。この貼装パート５は硬質のコインや爪等で擦ることによってマイクロカプセルが破壊され、内部の芳香剤が飛散するものとなっているもので、この香りによって商品の内容を示唆する効果を得ることもできる。
【００１７】
図２として示すタグ本体６は略中央で二折りされ、その内面を接着剤で接着して一枚化する形態のものである。このタグ本体も表面には記載表示３をはじめバーコードのプリントあるいはプリントされたバーコードシール等の貼装があり、ホログラムパート４やマイクロカプセル群の貼装パート５等が適宜形成される。
【００１８】
このタグ本体１の内面にはセキュリティ対策として軟磁性材の箔層７が一体化されて設けられており、セキュリティ対策としてはこれに加えて無線ＩＣチップをアンテナと共に密封したパックを固設させることもできる。
【００１９】
さらに、図３は表示シートとしてプラスチックフィルム、それもペットフィルム等の柔軟性を保有したフィルム８を用いた例で、このフィルム８は通常の硬質のタグや商品の包装パックや商品自体への貼装も可能とされる。
【００２０】
このフィルム８の一部、任意個所にはエンボス９が形成され、このエンボス９の有無は表示シートとしての真贋あるいはこれが付された商品の真贋を判定する目安ともできるし、視覚障害者に対する情報伝達の指標とされる。また、このエンボス９は点字構成をして視覚障害者に商品内容を知らしめることも可能となる。
【００２１】
これらの表示シート類はセキュリティとしてあるいは真贋判定としてチェッカーと連動してそのチェッカーから音を発生させたり、パイロットランプを点灯させる等の論理回路（特に無線）の一部として位置させることもでき、これにはセキュリティ用としての磁気の消去後のマーキング（傷等）を忘れた際の検知にも用いることができる。
【産業上の利用可能性】
【００２２】
本発明に係る表示シートは上述の構成、作用を有するものであるから、ダイレクトに商品の包装に採用することもでき、その他、各種のチケット類や証明書類、多くの印刷紙葉類等に幅広く適用できるものとなっている。
【図面の簡単な説明】
【００２３】
【図１】本発明を実施したタグを示す正面図である。
【図２】他の例を示す側面図である。
【図３】他の例を示す部分正面図である。
【符号の説明】
【００２４】
１    タグ本体
２    透孔
３    記載表示
４    ホログラムパート
５    マイクロカプセル群の貼装パート
６    タグ本体
７    軟磁性材の箔層
８    フィルム
９    エンボス
【図１】
2005062663.tif 000003
【図２】
2005062663.tif 000004
【図３】
2005062663.tif 000005